(57)【要約】  本発明の実施例は、セッションアソシエーション方法、装置及びシステムを提供する。この方法は、通信ネットワークの制御プレーンのシグナリングリンクにおいて、ネットワークエレメントにより送信された呼制御シグナリングを収集するステップであり、呼制御シグナリングは、通話チャネル情報を含むステップと、通話チャネル情報に従って呼制御シグナリングにおいてセッションアソシエーションを実行するステップとを含む。本発明の実施例で提供されるセッションアソシエーション方法、装置及びシステムでは、呼／セッションにおける通話チャネルの必然性及び一意性のため、監視システムは、通話チャネル情報に従ってセッションアソシエーションを実行することにより、正確なアソシエーションを実現することができ、これにより、セッションアソシエーションの精度を改善し、更に、通信ネットワーク監視システムの信頼性を改善する。
2016524359.tif 000002
【特許請求の範囲】
【請求項１】
通信ネットワークの制御プレーンのシグナリングリンクにおいて、ネットワークエレメントにより送信された呼制御シグナリングを収集するステップであり、前記呼制御シグナリングは、通話チャネル情報を有するステップと、
前記通話チャネル情報に従って前記呼制御シグナリングにおいてセッションアソシエーションを実行するステップと
を有するセッションアソシエーション方法。
【請求項２】
制御プレーンのシグナリングリンクにおいて、ネットワークエレメントにより送信された呼制御シグナリングを収集するステップは、
前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集するステップを有し、
前記通話チャネル情報に従って前記呼制御シグナリングにおいてセッションアソシエーションを実行するステップは、
前記通話チャネル情報に従って前記第１の呼制御シグナリング及び前記第２の呼制御シグナリングにおいてセッションアソシエーションを実行するステップを有する、請求項１に記載の方法。
【請求項３】
前記通信ネットワークは、パケット交換ベアラネットワークであり、前記通話チャネル情報は、ユーザプレーンアドレスであり、
前記通話チャネル情報に従って前記第１の呼制御シグナリング及び前記第２の呼制御シグナリングにおいてセッションアソシエーションを実行するステップは、
前記第１の呼制御シグナリングに含まれる第１のユーザプレーンアドレスと前記第２の呼制御シグナリングに含まれる第２のユーザプレーンアドレスとが同じである場合、前記第１の呼制御シグナリング及び前記第２の呼制御シグナリングにおいてセッションアソシエーションを実行するステップを有する、請求項２に記載の方法。
【請求項４】
前記通信ネットワークは、パケット交換ベアラネットワークであり、前記通話チャネル情報は、ユーザプレーンアドレスであり、
前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集する前に、前記方法は、
ユーザプレーンアドレスの間のアソシエーション関係を取得するステップを更に有し、
前記通話チャネル情報に従って前記第１の呼制御シグナリング及び前記第２の呼制御シグナリングにおいてセッションアソシエーションを実行するステップは、
前記アソシエーション関係に従って前記第１の呼制御シグナリングに含まれる第１のユーザプレーンアドレスと前記第２の呼制御シグナリングに含まれる第２のユーザプレーンアドレスとの間にアソシエーションが存在することが決定された場合、前記第１の呼制御シグナリング及び前記第２の呼制御シグナリングにおいてセッションアソシエーションを実行するステップを有する、請求項２に記載の方法。
【請求項５】
前記通信ネットワークは、回線交換ベアラネットワークであり、前記通話チャネル情報は、回線識別コードであり、
前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集する前に、前記方法は、
回線識別コードの間のアソシエーション関係を取得するステップを更に有し、
前記通話チャネル情報に従って前記第１の呼制御シグナリング及び前記第２の呼制御シグナリングにおいてセッションアソシエーションを実行するステップは、
前記アソシエーション関係に従って前記第１の呼制御シグナリングに含まれる第１の回線識別コードと前記第２の呼制御シグナリングに含まれる第２の回線識別コードとの間にアソシエーションが存在することが決定された場合、前記第１の呼制御シグナリング及び前記第２の呼制御シグナリングにおいてセッションアソシエーションを実行するステップを有する、請求項２に記載の方法。
【請求項６】
前記通信ネットワークは、移動ソフトスイッチ（CS）ネットワークであり、前記ネットワークエレメントは、移動交換センタサーバ（MSC  Server）、又はMSC  Server及びメディアゲートウェイ（MGW）を有する、或いは、
前記通信ネットワークは、固定回線ソフトスイッチ（NGN）ネットワークであり、前記ネットワークエレメントは、固定回線ソフトスイッチ（Softswitch）、又は前記Softswitch及びアクセスゲートウェイ（AG）／トランクゲートウェイ（TG）を有する、或いは、
前記通信ネットワークは、IPマルチメディアサブシステム（IMS）ネットワークであり、前記ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを有する、請求項１ないし５のうちいずれか１項に記載の方法。
【請求項７】
通信ネットワークの制御プレーンのシグナリングリンクにおいて、ネットワークエレメントにより送信された呼制御シグナリングを収集するように構成された収集モジュールであり、前記呼制御シグナリングは、通話チャネル情報を有する収集モジュールと、
前記通話チャネル情報に従って前記呼制御シグナリングにおいてセッションアソシエーションを実行するように構成されたアソシエーションモジュールと
を有する監視装置。
【請求項８】
前記収集モジュールは、前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集するように具体的に構成され、
前記アソシエーションモジュールは、前記通話チャネル情報に従って前記第１の呼制御シグナリング及び前記第２の呼制御シグナリングにおいてセッションアソシエーションを実行するように具体的に構成される、請求項７に記載の監視装置。
【請求項９】
前記通信ネットワークは、パケット交換ベアラネットワークであり、前記通話チャネル情報は、ユーザプレーンアドレスであり、
前記アソシエーションモジュールは、前記第１の呼制御シグナリングに含まれる第１のユーザプレーンアドレスと前記第２の呼制御シグナリングに含まれる第２のユーザプレーンアドレスとが同じである場合、前記第１の呼制御シグナリング及び前記第２の呼制御シグナリングにおいてセッションアソシエーションを実行するように構成される、請求項８に記載の監視装置。
【請求項１０】
前記通信ネットワークは、パケット交換ベアラネットワークであり、前記通話チャネル情報は、ユーザプレーンアドレスであり、
前記装置は、前記収集モジュールが前記制御プレーンの前記シグナリングリンクにおいて、前記ネットワークエレメントと発信側加入者との間の前記第１の呼制御シグナリングを収集し、前記制御プレーンの前記シグナリングリンクにおいて、前記ネットワークエレメントと着信側加入者との間の前記第２の呼制御シグナリングを収集する前に、ユーザプレーンアドレスの間のアソシエーション関係を取得するように構成された第１の取得モジュールを更に有し、
前記アソシエーションモジュールは、前記アソシエーション関係に従って前記第１の呼制御シグナリングに含まれる第１のユーザプレーンアドレスと前記第２の呼制御シグナリングに含まれる第２のユーザプレーンアドレスとの間にアソシエーションが存在することが決定された場合、前記第１の呼制御シグナリング及び前記第２の呼制御シグナリングにおいてセッションアソシエーションを実行するように構成される、請求項８に記載の監視装置。
【請求項１１】
前記通信ネットワークは、回線交換ベアラネットワークであり、前記通話チャネル情報は、回線識別コードであり、
前記装置は、前記収集モジュールが前記制御プレーンの前記シグナリングリンクにおいて、前記ネットワークエレメントと発信側加入者との間の前記第１の呼制御シグナリングを収集し、前記制御プレーンの前記シグナリングリンクにおいて、前記ネットワークエレメントと着信側加入者との間の前記第２の呼制御シグナリングを収集する前に、回線識別コードの間のアソシエーション関係を取得するように構成された第２の取得モジュールを更に有し、
前記アソシエーションモジュールは、前記アソシエーション関係に従って前記第１の呼制御シグナリングに含まれる第１の回線識別コードと前記第２の呼制御シグナリングに含まれる第２の回線識別コードとの間にアソシエーションが存在することが決定された場合、前記第１の呼制御シグナリング及び前記第２の呼制御シグナリングにおいてセッションアソシエーションを実行するように構成される、請求項８に記載の監視装置。
【請求項１２】
通信ネットワークにおいて監視装置と少なくとも１つのネットワークエレメントとを有する通信ネットワーク監視システムであって、
前記監視装置は、通信ネットワークの制御プレーンのシグナリングリンクにおいて、前記少なくとも１つのネットワークエレメントにより送信された呼制御シグナリングを収集し、前記呼制御シグナリングは、通話チャネル情報を有し、前記通話チャネル情報に従って前記呼制御シグナリングにおいてセッションアソシエーションを実行するように構成される通信ネットワーク監視システム。
【請求項１３】
前記監視装置は、前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集し、前記通話チャネル情報に従って前記第１の呼制御シグナリング及び前記第２の呼制御シグナリングにおいてセッションアソシエーションを実行するように具体的に構成される、請求項１２に記載のシステム。
【請求項１４】
前記通信ネットワークは、移動ソフトスイッチ（CS）ネットワークであり、前記ネットワークエレメントは、移動交換センタサーバ（MSC  Server）、又はMSC  Server及びメディアゲートウェイ（MGW）を有する、或いは、
前記通信ネットワークは、固定回線ソフトスイッチ（NGN）ネットワークであり、前記ネットワークエレメントは、固定回線ソフトスイッチ（SoftSwitch）、又は前記SoftSwitch及びアクセスゲートウェイ（AG）／トランクゲートウェイ（TG）を有する、或いは、
前記通信ネットワークは、IPマルチメディアサブシステム（IMS）ネットワークであり、前記ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを有する、請求項１２又は１３に記載のシステム。
【発明の詳細な説明】
【技術分野】
【０００１】
本発明は、通信技術の分野に関し、特にセッションアソシエーション方法、装置及びシステムに関する。
【背景技術】
【０００２】
通信ネットワーク監視システムは、オペレータがアクティブな監視及び管理を実行することを可能にする重要なシステムである。通信ネットワーク監視システムの動作処理において、通信ネットワークの様々な種類のシグナリング及びメディアデータがネットワーク動作に影響を与えない方式で収集される。この方式は、高耐性のクロスコネクション、ポートミラーリング、光スプリッタによる分割を含む。収集されたシグナリング及びメディアデータは、データセンタに送信される。ネットワーク、ユーザ及びサービスについての全ての種類のインデックスについての統計を収集するため、データセンタは、全サービス処理を再現するために、復号化、アソシエーション、シグナリング及びメディアデータにおける呼／セッション詳細レコード（call  detail  record、略してCDR）／トランザクション詳細レコード（transaction  detail  record、略してTDR）の統合を実行する。このように、ネットワーク保守人員は、ネットワーク及びサービス動作状況を習得及び分析し、マーケット管理人員は、ユーザ動作及びサービス使用を習得及び分析し、管理人員は、量に基づいてサポートする意志決定を得る。音声サービスを一例として使用すると、ユーザの間の呼／セッションは、一般的に制御プレーンにおける制御ストリームとして現れ、通信ネットワークのユーザプレーンにおけるメディアストリームとして現れる。制御ストリームとメディアストリームとの双方は、一連のネットワークエレメントにより中継及び仲介される。ネットワークエレメントは、移動交換センタサーバ（Mobile  Switching  Center  Server、以下では略してMSC  Server）、メディアゲートウェイ（Media  Gateway、以下では略してMGW）等でもよい。通信ネットワーク監視システムは、ネットワークエレメントの間の通信リンクにおける様々な種類のシグナリング及びメディアデータを収集する。従って、ユーザの間の呼／セッションの観点から、収集されたシグナリング及びメディアデータは、ネットワークエレメントの間の単一のインタフェースに属し、区分される。通信ネットワーク監視システムは、エンド・ツー・エンドの呼／セッション情報を取得するため、それぞれ単一のインタフェースの収集されたシグナリング及びメディアデータを関連付けなければならない。通信ネットワーク監視システムにより実行されるこの処理は、マルチプロトコル・マルチインタフェース・アソシエーションと呼ばれる。通信ネットワーク監視システムは、前述の処理を完了した後にのみ、全ネットワーク、ユーザ及びサービスの観点から通信ネットワークを評価及び分析することができる。
【０００３】
従来技術では、通信ネットワーク監視システムは、同じ呼／セッションについてネットワークエレメントの双方側のインタフェースで収集された発信側及び着信側加入者番号は同じであるという仮定に基づいて、呼／セッションについてマルチプロトコル・マルチインタフェース・アソシエーションを実行する。収集された呼制御シグナリングで搬送される発信側及び着信側加入者番号は、アソシエーションの基礎として使用され、通信ネットワーク監視システムは、ネットワークエレメントの両側のインタフェースで収集された呼制御シグナリングで搬送される発信側及び着信側加入者番号が同じであるか否かを比較することにより、同じ呼／セッションに属する単一のインタフェースを関連付け得る。
【０００４】
しかし、前述の方法では、加入者番号に基づく様々な種類のサービス及びルーティングの需要のため、呼／セッションを仲介する場合、通信ネットワークのネットワークエレメントは、発信側及び着信側加入者番号をしばしば調整及び変更する。従って、加入者番号に従ってアソシエーションが実行される場合、マルチプロトコル・マルチインタフェース・アソシエーションの精度が影響を受け、これにより、通信ネットワーク監視システムの信頼性に重大な影響を与える。
【発明の概要】
【０００５】
本発明の実施例は、セッションアソシエーションの精度を改善し、更に通信ネットワーク監視システムの信頼性を改善するための、セッションアソシエーション方法、装置及びシステムを提供する。
【０００６】
第１の態様によれば、本発明の実施例は、セッションアソシエーション方法を提供し、通信ネットワークの制御プレーンのシグナリングリンクにおいて、ネットワークエレメントにより送信された呼制御シグナリングを収集するステップであり、呼制御シグナリングは、通話チャネル情報を含むステップと、通話チャネル情報に従って呼制御シグナリングにおいてセッションアソシエーションを実行するステップとを含む。
【０００７】
第１の態様の第１の可能な実現方式では、制御プレーンのシグナリングリンクにおいて、ネットワークエレメントにより送信された呼制御シグナリングを収集するステップは、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集するステップを含み、通話チャネル情報に従って呼制御シグナリングにおいてセッションアソシエーションを実行するステップは、通話チャネル情報に従って第１の呼制御シグナリング及び第２の呼制御シグナリングにおいてセッションアソシエーションを実行するステップを含む。
【０００８】
第１の態様の第１の可能な実現方式を参照して、第１の態様の第２の可能な実現方式では、通信ネットワークは、パケット交換ベアラネットワークであり、通話チャネル情報は、ユーザプレーンアドレスであり、通話チャネル情報に従って第１の呼制御シグナリング及び第２の呼制御シグナリングにおいてセッションアソシエーションを実行するステップは、第１の呼制御シグナリングに含まれる第１のユーザプレーンアドレスと第２の呼制御シグナリングに含まれる第２のユーザプレーンアドレスとが同じである場合、第１の呼制御シグナリング及び第２の呼制御シグナリングにおいてセッションアソシエーションを実行するステップを含む。
【０００９】
第１の態様の第１の可能な実現方式を参照して、第１の態様の第３の可能な実現方式では、通信ネットワークは、パケット交換ベアラネットワークであり、通話チャネル情報は、ユーザプレーンアドレスであり、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集する前に、この方法は、ユーザプレーンアドレスの間のアソシエーション関係を取得するステップを更に含み、通話チャネル情報に従って第１の呼制御シグナリング及び第２の呼制御シグナリングにおいてセッションアソシエーションを実行するステップは、アソシエーション関係に従って第１の呼制御シグナリングに含まれる第１のユーザプレーンアドレスと第２の呼制御シグナリングに含まれる第２のユーザプレーンアドレスとの間にアソシエーションが存在することが決定された場合、第１の呼制御シグナリング及び第２の呼制御シグナリングにおいてセッションアソシエーションを実行するステップを含む。
【００１０】
第１の態様の第１の可能な実現方式を参照して、第１の態様の第４の可能な実現方式では、通信ネットワークは、回線交換ベアラネットワークであり、通話チャネル情報は、回線識別コードであり、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集する前に、この方法は、回線識別コードの間のアソシエーション関係を取得するステップを更に含み、通話チャネル情報に従って第１の呼制御シグナリング及び第２の呼制御シグナリングにおいてセッションアソシエーションを実行するステップは、アソシエーション関係に従って第１の呼制御シグナリングに含まれる第１の回線識別コードと第２の呼制御シグナリングに含まれる第２の回線識別コードとの間にアソシエーションが存在することが決定された場合、第１の呼制御シグナリング及び第２の呼制御シグナリングにおいてセッションアソシエーションを実行するステップを含む。
【００１１】
第１の態様から第１の態様の第４の可能な実現方式のうちいずれか１つを参照して、第１の態様の第５の可能な実現方式では、通信ネットワークは、移動ソフトスイッチ（CS）ネットワークであり、ネットワークエレメントは、移動交換センタサーバ（MSC  Server）、又はMSC  Server及びメディアゲートウェイ（MGW）を含む、或いは、通信ネットワークは、固定回線ソフトスイッチ（NGN）ネットワークであり、ネットワークエレメントは、固定回線ソフトスイッチ（Softswitch）、又はSoftswitch及びアクセスゲートウェイ（AG）／トランクゲートウェイ（TG）を含む、或いは、通信ネットワークは、IPマルチメディアサブシステム（IMS）ネットワークであり、ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを含む。
【００１２】
第２の態様によれば、本発明の実施例は、監視装置を提供し、通信ネットワークの制御プレーンのシグナリングリンクにおいて、ネットワークエレメントにより送信された呼制御シグナリングを収集するように構成された収集モジュールであり、呼制御シグナリングは、通話チャネル情報を含む収集モジュールと、通話チャネル情報に従って呼制御シグナリングにおいてセッションアソシエーションを実行するように構成されたアソシエーションモジュールとを含む。
【００１３】
第２の態様の第１の可能な実現方式では、収集モジュールは、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集するように具体的に構成され、アソシエーションモジュールは、通話チャネル情報に従って第１の呼制御シグナリング及び第２の呼制御シグナリングにおいてセッションアソシエーションを実行するように具体的に構成される。
【００１４】
第２の態様の第１の可能な実現方式を参照して、第２の態様の第２の可能な実現方式では、通信ネットワークは、パケット交換ベアラネットワークであり、通話チャネル情報は、ユーザプレーンアドレスであり、アソシエーションモジュールは、第１の呼制御シグナリングに含まれる第１のユーザプレーンアドレスと第２の呼制御シグナリングに含まれる第２のユーザプレーンアドレスとが同じである場合、第１の呼制御シグナリング及び第２の呼制御シグナリングにおいてセッションアソシエーションを実行するように構成される。
【００１５】
第２の態様の第１の可能な実現方式を参照して、第２の態様の第３の可能な実現方式では、通信ネットワークは、パケット交換ベアラネットワークであり、通話チャネル情報は、ユーザプレーンアドレスであり、この装置は、収集モジュールが制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集する前に、ユーザプレーンアドレスの間のアソシエーション関係を取得するように構成された第１の取得モジュールを更に含み、アソシエーションモジュールは、アソシエーション関係に従って第１の呼制御シグナリングに含まれる第１のユーザプレーンアドレスと第２の呼制御シグナリングに含まれる第２のユーザプレーンアドレスとの間にアソシエーションが存在することが決定された場合、第１の呼制御シグナリング及び第２の呼制御シグナリングにおいてセッションアソシエーションを実行するように構成される。
【００１６】
第２の態様の第１の可能な実現方式を参照して、第２の態様の第４の可能な実現方式では、通信ネットワークは、回線交換ベアラネットワークであり、通話チャネル情報は、回線識別コードであり、この装置は、収集モジュールが制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集する前に、回線識別コードの間のアソシエーション関係を取得するように構成された第２の取得モジュールを更に含み、アソシエーションモジュールは、アソシエーション関係に従って第１の呼制御シグナリングに含まれる第１の回線識別コードと第２の呼制御シグナリングに含まれる第２の回線識別コードとの間にアソシエーションが存在することが決定された場合、第１の呼制御シグナリング及び第２の呼制御シグナリングにおいてセッションアソシエーションを実行するように構成される。
【００１７】
第３の態様によれば、本発明の実施例は、通信ネットワークにおいて監視装置と少なくとも１つのネットワークエレメントとを含む通信システムを提供し、監視装置は、通信ネットワークの制御プレーンのシグナリングリンクにおいて、少なくとも１つのネットワークエレメントにより送信された呼制御シグナリングを収集し、呼制御シグナリングは、通話チャネル情報を含み、通話チャネル情報に従って呼制御シグナリングにおいてセッションアソシエーションを実行するように構成される。
【００１８】
第３の態様を参照して、第３の態様の第１の可能な実現方式では、監視装置は、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集し、通話チャネル情報に従って第１の呼制御シグナリング及び第２の呼制御シグナリングにおいてセッションアソシエーションを実行するように具体的に構成される。
【００１９】
第３の態様又は第３の態様の第１の可能な実現方式を参照して、第３の態様の第２の可能な実現方式では、通信ネットワークは、移動ソフトスイッチ（CS）ネットワークであり、ネットワークエレメントは、移動交換センタサーバ（MSC  Server）、又はMSC  Server及びメディアゲートウェイ（MGW）を含む、或いは、通信ネットワークは、固定回線ソフトスイッチ（NGN）ネットワークであり、ネットワークエレメントは、固定回線ソフトスイッチ（SoftSwitch）、又はSoftSwitch及びアクセスゲートウェイ（AG）／トランクゲートウェイ（TG）を含む、或いは、通信ネットワークは、IPマルチメディアサブシステム（IMS）ネットワークであり、ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを含む。
【００２０】
本発明の実施例で提供されるセッションアソシエーション方法、装置及びシステムによれば、監視システムは、通信ネットワークの制御プレーンのシグナリングリンクにおいて、ネットワークエレメントにより送信された呼制御シグナリングを収集する。呼制御シグナリングは、通話チャネル情報を含む。監視システムは、通話チャネル情報に従って呼制御シグナリングにおいてセッションアソシエーションを実行する。呼／セッションにおける通話チャネルの必然性及び一意性のため、監視システムは、セッションアソシエーションの精度を改善し、更に、通信ネットワーク監視システムの信頼性を改善するため、通話チャネル情報に従ってセッションアソシエーションを実行することにより、正確なアソシエーションを実現することができ、通信ネットワーク監視システムが全ネットワーク、ユーザ及びサービスの観点から通信ネットワークを評価及び分析するための信頼性のある保証を提供する。これにより、エンド・ツー・エンドのネットワーク品質、ユーザセンシング、サービス品質を確保し、エンド・ツー・エンドの呼／セッション追跡、並びに遵守及び故障処理を実現する。
【図面の簡単な説明】
【００２１】
本発明の実施例又は従来技術の技術的対策を明確に説明するために、以下に、実施例又は従来技術を説明するために必要な添付図面について簡単に紹介する。明らかに、以下の説明において、添付図面は、本発明のいくつかの実施例を示しており、当業者は、創造的取り組みを行うことなく、依然としてこれらの添付図面から他の図面を導き得る。
【図１】本発明によるセッションアソシエーション方法の実施例１のフローチャート
【図２】本発明によるセッションアソシエーション方法の実施例２のフローチャート
【図３】本発明によるセッションアソシエーション方法の実施例２における呼制御シグナリング及びネットワークエレメントの概略図
【図４】本発明によるセッションアソシエーション方法の実施例３のフローチャート
【図５】本発明によるセッションアソシエーション方法の実施例３における呼制御シグナリング及びネットワークエレメントの概略図
【図６】本発明によるセッションアソシエーション方法の実施例４のフローチャート
【図７】本発明によるセッションアソシエーション方法の実施例４における呼制御シグナリング及びネットワークエレメントの概略図
【図８】本発明による監視装置の実施例１の概略構成図
【図９】本発明による監視装置の実施例２の概略構成図
【図１０】本発明による監視装置の実施例３の概略構成図
【図１１】本発明による監視装置の実施例４の概略構成図
【図１２】本発明による監視装置の実施例５の概略構成図
【図１３】本発明による監視装置の実施例６の概略構成図
【発明を実施するための形態】
【００２２】
本発明の実施例の目的、技術的対策及び利点を明確にするために、以下に、本発明の添付図面を参照して本発明の実施例の技術的対策を明確に説明する。明らかに、説明する実施例は、本発明の実施例の全てではなく、一部である。創造的取り組みを行うことなく本発明の実施例に基づいて当業者により取得される全ての他の実施例は、本発明の保護範囲内に入るものとする。
【００２３】
図１は、本発明によるセッションアソシエーション方法の実施例１のフローチャートである。この実施例で提供されるセッションアソシエーション方法は、エンド・ツー・エンドの呼／セッション情報を取得するため、通信ネットワーク監視システムにより、通信ネットワークのそれぞれの単一のインタフェースの収集されたシグナリング及びメディアデータにおいてマルチプロトコル・マルチインタフェース・アソシエーションを実行するために使用される。これにより、通信ネットワーク監視システムは、全ネットワーク、ユーザ及びサービスの観点から通信ネットワークを評価及び分析する。これにより、エンド・ツー・エンドのネットワーク品質、ユーザセンシング、サービス品質、エンド・ツー・エンドの呼／セッション追跡、並びに遵守及び故障処理を提供する。この実施例で提供されるセッションアソシエーション方法は、制御及びベアラが分離する全ての通信ネットワークの監視に適用可能である点に留意すべきである。通信ネットワークは、移動ソフトスイッチ（CS）ネットワーク、固定ソフトスイッチ（NGN）ネットワーク、及びIPマルチメディアサブシステム（IP  Multimedia  Subsystem、以下では略してIMS）ネットワークを含む。この実施例は、監視システムが実行体である例を使用することにより説明を提供する。図１に示すように、この実施例の方法は以下を含んでもよい。
【００２４】
S101：通信ネットワークの制御プレーンのシグナリングリンクにおいて、ネットワークエレメントにより送信された呼制御シグナリングを収集する。呼制御シグナリングは、通話チャネル情報を含む。
【００２５】
S102：通話チャネル情報に従って呼制御シグナリングにおいてセッションアソシエーションを実行する。
【００２６】
具体的に、監視システムは、通信ネットワークの制御プレーンのシグナリングリンクにおいて、ネットワークエレメントにより送信された呼制御シグナリングを収集する。呼制御シグナリングは、通話チャネル情報を含む。監視システムは、通話チャネル情報に従って呼制御シグナリングにおいてセッションアソシエーションを実行する。加入者番号情報及び通話チャネル情報は、同じカテゴリに属さない点に留意すべきである。この実施例では、監視システムは、呼／セッションにおける通話チャネルの必然性及び一意性を利用し、呼制御シグナリングに含まれる通話チャネル情報に従ってセッションアソシエーションを実行する。この実施例は、主に単一のネットワークエレメントの両側におけるセッションアソシエーションを説明する。単一のネットワークエレメントの両側におけるセッションアソシエーションが成功する限り、複数のネットワークエレメントにより仲介及び中継された呼／セッションについてエンド・ツー・エンドのアソシエーションも成功して実現され得る。更に、ユーザプレーンでは、制御プレーンにおけるエンド・ツー・エンドのアソシエーションが完了する限り、ユーザプレーンにおけるエンド・ツー・エンドのアソシエーションは、制御プレーンにおける通話チャネル情報とユーザプレーンにおける通話チャネルとをマッチングすることにより完了し得る。
【００２７】
具体的に、単一のネットワークエレメントの両側において監視システムがセッションアソシエーションを実行する処理は以下の通りである。
【００２８】
S101a：監視システムは、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集する。
【００２９】
S102a：監視システムは、通話チャネル情報に従って第１の呼制御シグナリング及び第２の呼制御シグナリングにおいてセッションアソシエーションを実行する。
【００３０】
異なるネットワーク及び異なるネットワークの異なるシナリオについて、以下の３つの可能な実現方式が存在する。
【００３１】
1.通信ネットワークがパケット交換ベアラネットワークであり、通話チャネル情報がユーザプレーンアドレスであり、コアネットワークのネットワークエレメントがユーザプレーンに挿入されない場合、すなわち、コアネットワークのネットワークエレメントが制御プレーンの呼仲介ノード（Call  Mediation  Node、以下では略してCMN）の機能のみを提供するシナリオでは、ステップS102aにおいて通話チャネル情報に従って第１の呼制御シグナリング及び第２の呼制御シグナリングにおいてセッションアソシエーションを実行するステップは、具体的に、第１の呼制御シグナリングに含まれる第１のユーザプレーンアドレスと第２の呼制御シグナリングに含まれる第２のユーザプレーンアドレスとが同じである場合、監視システムにより、第１の呼制御シグナリング及び第２の呼制御シグナリングにおいてセッションアソシエーションを実行するステップである。
【００３２】
このシナリオのネットワークエレメントは、移動ソフトスイッチ（CS）ネットワークにおけるMSC  Server、固定ソフトスイッチ（NGN）ネットワークにおける固定ソフトスイッチ（Softswitch）、並びに、IMSネットワークにおける呼セッション制御機能（Call  Session  Control  Function、略してCSCF）、ブレークアウトゲートウェイ制御機能（Breakout  Gateway  Control  Function、略してBGCF）、相互接続ボーダー制御機能（Interconnection  Border  Control  Function、以下では略してIBCF）、メディアゲートウェイ制御機能（Media  Gateway  Control  Function、以下では略してMGCF）及びアプリケーションサーバ（Application  Server、以下では略してAS）を含んでもよい。
【００３３】
2.通信ネットワークがパケット交換ベアラネットワークであり、通話チャネル情報がユーザプレーンアドレスであり、コアネットワークのネットワークエレメントがユーザプレーンに挿入される場合、すなわち、コアネットワークのネットワークエレメントが制御プレーン機能とユーザプレーン機能とを提供するシナリオでは、ステップS101aの前に、この方法は、ユーザプレーンアドレスの間のアソシエーション関係を取得するステップを更に含み、ステップS102aにおいて通話チャネル情報に従って第１の呼制御シグナリング及び第２の呼制御シグナリングにおいてセッションアソシエーションを実行するステップは、具体的に、アソシエーション関係に従って第１の呼制御シグナリングに含まれる第１のユーザプレーンアドレスと第２の呼制御シグナリングに含まれる第２のユーザプレーンアドレスとの間にアソシエーションが存在することが決定された場合、第１の呼制御シグナリング及び第２の呼制御シグナリングにおいてセッションアソシエーションを実行するステップである。
【００３４】
このシナリオのネットワークエレメントは、移動ソフトスイッチ（CS）ネットワークにおけるMSC  Server及びMGW、固定ソフトスイッチ（NGN）ネットワークにおけるSoftSwitch及びアクセスゲートウェイ（Access  Gateway、略してAG）／トランクゲートウェイ（Trunk  Gateway、略してTG）、並びに、IMSネットワークにおけるIBCF及びトランジションゲートウェイ（Transition  Gateway、略してTrGW）、MGCF及びIMSメディアゲートウェイ（IP  Multimedia  Subsystem-Media  Gateway、以下では略してIM-MGW）、マルチメディアリソース機能コントローラ（Multimedia  Resource  Function  Controller、略してMRFC）及びマルチメディアリソース機能プロセッサ（Multimedia  Resource  Function  Processor、略してMRFP）、サービスベース・ポリシー決定機能（Service-based  Policy  Decision  Function、略してSPDF）及びボーダーゲートウェイ機能（Border  Gateway  Function、略してBGF）を含んでもよい。
【００３５】
3.通信ネットワークが回線交換ベアラネットワークであり、通話チャネル情報が回線識別コードである場合、ステップS101aの前に、この方法は、回線識別コードの間のアソシエーション関係を取得するステップを更に含み、ステップS102aにおいて通話チャネル情報に従って第１の呼制御シグナリング及び第２の呼制御シグナリングにおいてセッションアソシエーションを実行するステップは、具体的に、アソシエーション関係に従って第１の呼制御シグナリングに含まれる第１の回線識別コードと第２の呼制御シグナリングに含まれる第２の回線識別コードとの間にアソシエーションが存在することが決定された場合、第１の呼制御シグナリング及び第２の呼制御シグナリングにおいてセッションアソシエーションを実行するステップである。
【００３６】
このシナリオのネットワークエレメントは、移動ソフトスイッチ（CS）ネットワークにおけるMSC  Server及びメディアゲートウェイ（Media  Gateway、以下では略してMGW）、固定ソフトスイッチ（NGN）ネットワークにおけるSoftswitch及びAG／TG、並びに、IMSネットワークにおけるMGCF及びIM-MGWを含んでもよい。
【００３７】
前述の実施例では、呼制御シグナリングは、以下のプロトコル、すなわち、セッションイニシエーションプロトコル（Session  Initiation  Protocol、略してSIP）、カプセル化された統合サービスデジタルネットワーク・ユーザ部のセッションイニシエーションプロトコル（Session  Initiation  Protocol  with  encapsulated  ISUP、略してSIP-I）、電話用のセッションイニシエーションプロトコル（Session  Initiation  Protocol  for  Telephones、略してSIP-T）、ベアラに依存しない呼制御（Bearer  Independent  Call  Control、略してBICC）、ITU-T  H.323プロトコルのファミリー、基地局サブシステム管理アプリケーション部（Base  Station  Subsystem  Management  Application  Part、略してBSSMAP）、無線アクセスネットワークアプリケーション部（Radio  Access  Network  Application  Part、略してRANAP）、統合サービスデジタルネットワーク・ユーザ部（integrated  services  digital  network  user  part、略してISUP）、電話ユーザ部（Telephone  User  Part、略してTUP）、ITU-T  H.248プロトコルのファミリー、メディアゲートウェイ制御プロトコル（Media  Gateway  Control  Protocol、略してMGCP）、及びITU-T  Q.931プロトコルのファミリーに規定されたシグナリングでもよい。
【００３８】
この実施例で提供されるセッションアソシエーション方法によれば、監視システムは、通信ネットワークの制御プレーンのシグナリングリンクにおいて、ネットワークエレメントにより送信された呼制御シグナリングを収集する。呼制御シグナリングは、通話チャネル情報を含む。監視システムは、通話チャネル情報に従って呼制御シグナリングにおいてセッションアソシエーションを実行する。呼／セッションにおける通話チャネルの必然性及び一意性のため、監視システムは、セッションアソシエーションの精度を改善し、更に、通信ネットワーク監視システムの信頼性を改善するため、通話チャネル情報に従ってセッションアソシエーションを実行することにより、正確なアソシエーションを実現することができ、通信ネットワーク監視システムが全ネットワーク、ユーザ及びサービスの観点から通信ネットワークを評価及び分析するための信頼性のある保証を提供する。これにより、エンド・ツー・エンドのネットワーク品質、ユーザセンシング、サービス品質、エンド・ツー・エンドの呼／セッション追跡、並びに遵守及び故障処理を提供する。
【００３９】
図１に示す方法の実施例の技術的対策を詳細に説明するために、複数の具体的な実施例が以下で使用される。
【００４０】
図２は、本発明によるセッションアソシエーション方法の実施例２のフローチャートである。図３は、本発明によるセッションアソシエーション方法の実施例２における呼制御シグナリング及びネットワークエレメントの概略図である。図３を参照すると、この実施例では、通信ネットワークがパケット交換ベアラネットワークであり、通話チャネル情報がユーザプレーンアドレスであり、コアネットワークのネットワークエレメントがユーザプレーンに挿入されないシナリオが、説明の一例として使用される。例えば、ネットワークエレメントはASであり、呼制御シグナリングはSIPメッセージである。図２及び図３に示すように、この実施例の方法は以下を含んでもよい。
【００４１】
S201：発信側加入者は、第１の呼制御シグナリング（ここでは第１のSIPメッセージ）をASに送信する。第１のSIPメッセージは、第１のユーザプレーンアドレス、すなわち、発信側加入者のユーザプレーンアドレスを搬送する。例えば、発信側加入者のユーザプレーンアドレスは、175.144.1.1/5000である。
【００４２】
S202：関係するサービス処理を完了した後に、ASは、第２のユーザプレーンアドレスを搬送する第２のSIPメッセージを次のサーバ又は着信側加入者に転送する。ASにより転送される第２のユーザプレーンアドレスは、第１のユーザプレーンアドレスと同じであり、また、175.144.1.1/5000である。
【００４３】
前述のステップと同様に、着信側加入者によりASに送信されて、セッション確立に応答するために使用される183応答も、着信側加入者のユーザプレーンアドレスを搬送する。例えば、着信側加入者のユーザプレーンアドレスは、183.11.1.1/4008である。転送された183応答においてASにより発信側加入者に送信されたユーザプレーンアドレスは不変であり、また、183.11.1.1/4008である。
【００４４】
S203：監視システムは、制御プレーンのシグナリングリンクにおけるASと発信側加入者との間の収集された第１のSIPメッセージと、制御プレーンのシグナリングリンクにおけるASと着信側加入者との間の収集された第２のSIPメッセージとを比較し、第１のSIPメッセージに含まれる第１のユーザプレーンアドレスと第２のSIPメッセージに含まれる第２のユーザプレーンアドレスとが同じである場合、監視システムは、第１のSIPメッセージ及び第２のSIPメッセージにおいてセッションアソシエーションを実行する。具体的に、ユーザプレーンアドレス175.144.1.1/5000が比較されてもよく、或いはユーザプレーンアドレス183.11.1.1/4008が比較されてもよい。ユーザプレーンアドレスが同じである場合、第１のSIPメッセージ及び第２のSIPメッセージにおいてセッションアソシエーションが実行されてもよい。
【００４５】
図４は、本発明によるセッションアソシエーション方法の実施例３のフローチャートである。図５は、本発明によるセッションアソシエーション方法の実施例３における呼制御シグナリング及びネットワークエレメントの概略図である。図５を参照すると、この実施例では、通信ネットワークがパケット交換ベアラネットワークであり、通話チャネル情報がユーザプレーンアドレスであり、コアネットワークのネットワークエレメントがユーザプレーンに挿入されるシナリオが、説明の一例として使用される。例えば、MGWがユーザプレーンに挿入され、ユーザプレーンの通話チャネルは、MGWにより２つのセグメントに分割される。例えば、ネットワークエレメントはSoftswitchであり、呼制御シグナリングはSIPメッセージである。図４及び図５に示すように、この実施例の方法は以下を含んでもよい。
【００４６】
S301：発信側加入者は、SIPメッセージをSoftswitchに送信する。SIPメッセージは、発信側加入者のユーザプレーンアドレスを搬送する。例えば、発信側加入者のユーザプレーンアドレスは、175.144.1.1/5000である。
【００４７】
S302：Softswitchは、H.248  Addシグナリング手順を使用することにより、MGWがユーザプレーンに挿入されることを制御する。ユーザプレーンアドレス175.144.1.1/5000を受信した後に、MGWは、ユーザプレーンアドレス10.143.10.1/7000を発信側加入者に割り当て、ユーザプレーンアドレス10.143.10.2/6000を着信側加入者に割り当て、アソシエーション関係を形成するためにT1（リモートエンドアドレス175.144.1.1/5000、ローカルエンドアドレス10.143.10.1/7000）及びT2（リモートエンドアドレス10.143.10.2/6000）をC1に結合する。
【００４８】
S303：Softswitchは、ユーザプレーンアドレス10.143.10.2/6000を搬送する183応答を着信側加入者に転送し、ユーザプレーンアドレス10.143.10.1/7000を搬送する183応答を発信側加入者に転送する。
【００４９】
S304：着信側加入者によりSoftswitchに送信されてセッション確立に応答するために使用される183応答も、着信側加入者のユーザプレーンアドレス、例えば、183.11.1.1/4008を搬送する。
【００５０】
S305：Softswitchは、H.248シグナリングのMod処理を使用することにより、T2のリモートエンドアドレスをT2（リモートエンドアドレス183.11.1.1/4008、ローカルエンドアドレス10.143.10.2）に変更する。
【００５１】
S306：監視システムは、ユーザプレーンアドレスの間のアソシエーション関係を取得する。具体的に、SoftswitchとMGWとの間で収集されたH.248シグナリングを使用することにより、リモートエンドアドレスが175.144.1.1/5000であり、ローカルエンドアドレスが10.143.10.1/7000である通話チャネルと、リモートエンドアドレスが183.11.1.1/4008であり、ローカルエンドアドレスが10.143.10.2/6000である通話チャネルとが同じ呼／セッションに属することを認識することができる。
【００５２】
S307：監視システムは、ユーザプレーンアドレス175.144.1.1/5000及び10.143.10.1/7000を搬送する、Softswitchと発信側加入者との間の収集された第１のSIPメッセージと、ユーザプレーンアドレス183.11.1.1/4008及び10.143.10.2/6000を搬送する、Softswitchと着信側加入者との間の収集された第２のSIPメッセージとを比較し、第１のSIPメッセージと第２のSIPメッセージとの間にアソシエーションが存在することが決定された場合、監視システムは、第１のSIPメッセージ及び第２のSIPメッセージにおいてセッションアソシエーションを実行する。
【００５３】
図６は、本発明によるセッションアソシエーション方法の実施例４のフローチャートである。図７は、本発明によるセッションアソシエーション方法の実施例４における呼制御シグナリング及びネットワークエレメントの概略図である。図７を参照すると、この実施例では、通信ネットワークが回線交換ベアラネットワークであり、通話チャネル情報が回線識別コードである例を使用することにより、説明が行われる。例えば、ネットワークエレメントはMSC  Server及びMGWであり、呼制御シグナリングは統合サービスデジタルネットワーク・ユーザ部（integrated  services  digital  network  user  part、略してISUP）メッセージの第１の初期アドレスメッセージ（initial  address  message、以下では略してIAM）である。図６及び図７に示すように、この実施例の方法は以下を含んでもよい。
【００５４】
S401：MSC  Serverは、発信側加入者により送信されて回線識別コードCIC1を搬送する第１のIAMメッセージを受信する。
【００５５】
S402：MSC  Serverは、H.248  Addシグナリング手順を使用することにより、MGWがユーザプレーンに挿入されることを制御する。MGWは、アソシエーション関係を形成するため、受信したCIC1及び選択された回線識別コードCIC2を結合し、具体的にT1及びT2をC1に結合する。T1はCIC1に対応し、T2はCIC2に対応する。
【００５６】
S403：関係するサービス処理を完了した後に、MSC  Serverは、回線識別コードCIC2を搬送する第２のIAMメッセージを転送する。更に、着信側加入者は、回線識別コードCIC2を搬送するアドレス完了メッセージ（address  complete  message、以下では略してACM）をMSC  Serverに送信する。MSC  Serverは、回線識別コードCIC1を搬送するACMメッセージを転送する。
【００５７】
S404：監視システムは、ユーザプレーンアドレスの間のアソシエーション関係を取得する。具体的に、監視システムは、MSC  ServerとMGWとの間で収集されたH.248シグナリングを使用することにより、回線識別コードがCIC1である通話チャネルと、回線識別コードがCIC2である通話チャネルとが同じ呼／セッションに属することを認識することができる。
【００５８】
S405：監視システムは、回線識別コードCIC1を搬送する、MSC  Serverと発信側加入者との間の収集された第１のIAMメッセージと、回線識別コードCIC2を搬送する、MSC  Serverと着信側加入者との間の収集された第２のIAMメッセージとを比較し、アソシエーション関係に従って、CIC1とCIC2との間にアソシエーションが存在することが決定された場合、第１のIAMメッセージ及び第２のIAMメッセージにおいてセッションアソシエーションを実行する。
【００５９】
図８は、本発明による監視装置の実施例１の概略構成図である。図８に示すように、この実施例の監視装置は、収集モジュール11と、アソシエーションモジュール12とを含んでもよい。
【００６０】
収集モジュール11は、通信ネットワークの制御プレーンのシグナリングリンクにおいて、ネットワークエレメントにより送信された呼制御シグナリングを収集するように構成される。呼制御シグナリングは、通話チャネル情報を含む。
【００６１】
アソシエーションモジュール12は、通話チャネル情報に従って呼制御シグナリングにおいてセッションアソシエーションを実行するように構成される。
【００６２】
更に、収集モジュール11は、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集するように具体的に構成され、アソシエーションモジュール12は、通話チャネル情報に従って第１の呼制御シグナリング及び第２の呼制御シグナリングにおいてセッションアソシエーションを実行するように具体的に構成される。
【００６３】
更に、通信ネットワークがパケット交換ベアラネットワークであり、通話チャネル情報がユーザプレーンアドレスである場合、アソシエーションモジュール12は、第１の呼制御シグナリングに含まれる第１のユーザプレーンアドレスと第２の呼制御シグナリングに含まれる第２のユーザプレーンアドレスとが同じである場合、第１の呼制御シグナリング及び第２の呼制御シグナリングにおいてセッションアソシエーションを実行するように構成される。
【００６４】
この実施例の監視装置は、図１に示す方法の実施例の技術的対策を実行するように構成されてもよい。その実現原理は同様であり、ここでは再び説明しない。
【００６５】
この実施例で提供される監視装置によれば、収集モジュールは、通信ネットワークの制御プレーンのシグナリングリンクにおいて、ネットワークエレメントにより送信された呼制御シグナリングを収集する。呼制御シグナリングは、通話チャネル情報を含む。アソシエーションモジュールは、通話チャネル情報に従って呼制御シグナリングにおいてセッションアソシエーションを実行する。呼／セッションにおける通話チャネルの必然性及び一意性のため、監視装置は、セッションアソシエーションの精度を改善し、更に、通信ネットワーク監視装置の信頼性を改善するため、通話チャネル情報に従ってセッションアソシエーションを実行することにより、正確なアソシエーションを実現することができ、監視装置が全ネットワーク、ユーザ及びサービスの観点から通信ネットワークを評価及び分析するための信頼性のある保証を提供する。これにより、エンド・ツー・エンドのネットワーク品質、ユーザセンシング、サービス品質、エンド・ツー・エンドの呼／セッション追跡、並びに遵守及び故障処理を提供する。
【００６６】
図９は、本発明による監視装置の実施例２の概略構成図である。図９に示すように、図８に示す監視装置の構成に基づいて、通信ネットワークがパケット交換ベアラネットワークであり、通話チャネル情報がユーザプレーンアドレスである場合、この実施例の監視装置は、第１の取得モジュール13を更に含んでもよい。第１の取得モジュール13は、収集モジュール11が制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集する前に、ユーザプレーンアドレスの間のアソシエーション関係を取得するように構成される。
【００６７】
この場合、アソシエーションモジュール12は、アソシエーション関係に従って第１の呼制御シグナリングに含まれる第１のユーザプレーンアドレスと第２の呼制御シグナリングに含まれる第２のユーザプレーンアドレスとの間にアソシエーションが存在することが決定された場合、第１の呼制御シグナリング及び第２の呼制御シグナリングにおいてセッションアソシエーションを実行するように構成される。
【００６８】
この実施例の監視装置は、図１に示す方法の実施例の技術的対策を実行するように構成されてもよい。その実現原理は同様であり、ここでは再び説明しない。
【００６９】
図１０は、本発明による監視装置の実施例３の概略構成図である。図１０に示すように、図８に示す監視装置の構成に基づいて、通信ネットワークが回線交換ベアラネットワークであり、通話チャネル情報が回線識別コードである場合、この実施例の監視装置は、第２の取得モジュール14を更に含んでもよい。第２の取得モジュール14は、収集モジュール11が制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集する前に、回線識別コードの間のアソシエーション関係を取得するように構成される。
【００７０】
この場合、アソシエーションモジュール12は、アソシエーション関係に従って第１の呼制御シグナリングに含まれる第１の回線識別コードと第２の呼制御シグナリングに含まれる第２の回線識別コードとの間にアソシエーションが存在することが決定された場合、第１の呼制御シグナリング及び第２の呼制御シグナリングにおいてセッションアソシエーションを実行するように構成される。
【００７１】
この実施例の監視装置は、図１に示す方法の実施例の技術的対策を実行するように構成されてもよい。その実現原理は同様であり、ここでは再び説明しない。
【００７２】
前述の実施例では、呼制御シグナリングは、セッションイニシエーションプロトコル（SIP）、カプセル化された統合サービスデジタルネットワーク・ユーザ部のセッションイニシエーションプロトコル（SIP-I）、電話用のセッションイニシエーションプロトコル（SIP-T）、ベアラに依存しない呼制御（BICC）、ITU-T  H.323プロトコルのファミリー、基地局サブシステム管理アプリケーション部（BSSMAP）、無線アクセスネットワークアプリケーション部（RANAP）、統合サービスデジタルネットワーク・ユーザ部（ISUP）、電話ユーザ部（TUP）、ITU-T  H.248プロトコルのファミリー、メディアゲートウェイ制御プロトコル（MGCP）、及びITU-T  Q.931プロトコルのファミリーを含む。
【００７３】
本発明の実施例で提供される通信システムは、通信ネットワークにおいて監視装置と少なくとも１つのネットワークエレメントとを含む。監視装置は、通信ネットワークの制御プレーンのシグナリングリンクにおいて、ネットワークエレメントにより送信された呼制御シグナリングを収集し、呼制御シグナリングは、通話チャネル情報を含み、通話チャネル情報に従って呼制御シグナリングにおいてセッションアソシエーションを実行する。
【００７４】
更に、監視装置は、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集し、通話チャネル情報に従って第１の呼制御シグナリング及び第２の呼制御シグナリングにおいてセッションアソシエーションを実行するように具体的に構成される。
【００７５】
通信ネットワークは、移動ソフトスイッチ（CS）ネットワークであり、ネットワークエレメントは、移動交換センタサーバ（MSC  Server）、又はMSC  Server及びメディアゲートウェイ（MGW）を含む、或いは、通信ネットワークは、固定回線ソフトスイッチ（NGN）ネットワークであり、ネットワークエレメントは、固定回線ソフトスイッチ（SoftSwitch）、又はSoftSwitch及びアクセスゲートウェイ（AG）／トランクゲートウェイ（TG）を含む、或いは、通信ネットワークは、IPマルチメディアサブシステム（IMS）ネットワークであり、ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを含む。
【００７６】
図１１は、本発明による監視装置の実施例４の概略構成図である。図１１に示すように、この実施例の監視装置は、収集器21と、プロセッサ22とを含んでもよい。
【００７７】
収集器21は、通信ネットワークの制御プレーンのシグナリングリンクにおいて、ネットワークエレメントにより送信された呼制御シグナリングを収集するように構成される。呼制御シグナリングは、通話チャネル情報を含む。
【００７８】
プロセッサ22は、通話チャネル情報に従って呼制御シグナリングにおいてセッションアソシエーションを実行するように構成される。
【００７９】
更に、収集器21は、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集するように具体的に構成され、プロセッサ22は、通話チャネル情報に従って第１の呼制御シグナリング及び第２の呼制御シグナリングにおいてセッションアソシエーションを実行するように具体的に構成される。
【００８０】
更に、通信ネットワークがパケット交換ベアラネットワークであり、通話チャネル情報がユーザプレーンアドレスである場合、プロセッサ22は、第１の呼制御シグナリングに含まれる第１のユーザプレーンアドレスと第２の呼制御シグナリングに含まれる第２のユーザプレーンアドレスとが同じである場合、第１の呼制御シグナリング及び第２の呼制御シグナリングにおいてセッションアソシエーションを実行するように構成される。
【００８１】
この実施例の監視装置は、図１に示す方法の実施例の技術的対策を実行するように構成されてもよい。その実現原理は同様であり、ここでは再び説明しない。
【００８２】
この実施例で提供される監視装置によれば、収集器は、通信ネットワークの制御プレーンのシグナリングリンクにおいて、ネットワークエレメントにより送信された呼制御シグナリングを収集する。呼制御シグナリングは、通話チャネル情報を含む。プロセッサは、通話チャネル情報に従って呼制御シグナリングにおいてセッションアソシエーションを実行する。呼／セッションにおける通話チャネルの必然性及び一意性のため、監視装置は、セッションアソシエーションの精度を改善し、更に、通信ネットワーク監視装置の信頼性を改善するため、通話チャネル情報に従ってセッションアソシエーションを実行することにより、正確なアソシエーションを実現することができ、監視装置が全ネットワーク、ユーザ及びサービスの観点から通信ネットワークを評価及び分析するための信頼性のある保証を提供する。これにより、エンド・ツー・エンドのネットワーク品質、ユーザセンシング、サービス品質、エンド・ツー・エンドの呼／セッション追跡、並びに遵守及び故障処理を提供する。
【００８３】
図１２は、本発明による監視装置の実施例５の概略構成図である。図１２に示すように、図１１に示す監視装置の構成に基づいて、通信ネットワークがパケット交換ベアラネットワークであり、通話チャネル情報がユーザプレーンアドレスである場合、この実施例の監視装置は、第１の受信機23を更に含んでもよい。第１の受信機23は、収集器21が制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集する前に、ユーザプレーンアドレスの間のアソシエーション関係を取得するように構成される。
【００８４】
この場合、プロセッサ22は、アソシエーション関係に従って第１の呼制御シグナリングに含まれる第１のユーザプレーンアドレスと第２の呼制御シグナリングに含まれる第２のユーザプレーンアドレスとの間にアソシエーションが存在することが決定された場合、第１の呼制御シグナリング及び第２の呼制御シグナリングにおいてセッションアソシエーションを実行するように構成される。
【００８５】
この実施例の監視装置は、図１に示す方法の実施例の技術的対策を実行するように構成されてもよい。その実現原理は同様であり、ここでは再び説明しない。
【００８６】
図１３は、本発明による監視装置の実施例６の概略構成図である。図１３に示すように、図１１に示す監視装置の構成に基づいて、通信ネットワークが回線交換ベアラネットワークであり、通話チャネル情報が回線識別コードである場合、この実施例の監視装置は、第２の受信機24を更に含んでもよい。第２の受信機24は、収集器が制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集する前に、回線識別コードの間のアソシエーション関係を取得するように構成される。
【００８７】
この場合、プロセッサ22は、アソシエーション関係に従って第１の呼制御シグナリングに含まれる第１の回線識別コードと第２の呼制御シグナリングに含まれる第２の回線識別コードとの間にアソシエーションが存在することが決定された場合、第１の呼制御シグナリング及び第２の呼制御シグナリングにおいてセッションアソシエーションを実行するように構成される。
【００８８】
この実施例の監視装置は、図１に示す方法の実施例の技術的対策を実行するように構成されてもよい。その実現原理は同様であり、ここでは再び説明しない。
【００８９】
前述の実施例では、呼制御シグナリングは、セッションイニシエーションプロトコル（SIP）、カプセル化された統合サービスデジタルネットワーク・ユーザ部のセッションイニシエーションプロトコル（SIP-I）、電話用のセッションイニシエーションプロトコル（SIP-T）、ベアラに依存しない呼制御（BICC）、ITU-T  H.323プロトコルのファミリー、基地局サブシステム管理アプリケーション部（BSSMAP）、無線アクセスネットワークアプリケーション部（RANAP）、統合サービスデジタルネットワーク・ユーザ部（ISUP）、電話ユーザ部（TUP）、ITU-T  H.248プロトコルのファミリー、メディアゲートウェイ制御プロトコル（MGCP）、及びITU-T  Q.931プロトコルのファミリーを含む。
【００９０】
本発明の実施例で提供される通信システムは、通信ネットワークにおいて監視装置と少なくとも１つのネットワークエレメントとを含む。監視装置は、通信ネットワークの制御プレーンのシグナリングリンクにおいて、ネットワークエレメントにより送信された呼制御シグナリングを収集し、呼制御シグナリングは、通話チャネル情報を含み、通話チャネル情報に従って呼制御シグナリングにおいてセッションアソシエーションを実行する。
【００９１】
更に、監視装置は、制御プレーンのシグナリングリンクにおいて、ネットワークエレメントと発信側加入者との間の第１の呼制御シグナリングを収集し、制御プレーンのシグナリングリンクにおいて、ネットワークエレメントと着信側加入者との間の第２の呼制御シグナリングを収集し、通話チャネル情報に従って第１の呼制御シグナリング及び第２の呼制御シグナリングにおいてセッションアソシエーションを実行するように具体的に構成される。
【００９２】
通信ネットワークは、移動ソフトスイッチ（CS）ネットワークであり、ネットワークエレメントは、移動交換センタサーバ（MSC  Server）、又はMSC  Server及びメディアゲートウェイ（MGW）を含む、或いは、通信ネットワークは、固定回線ソフトスイッチ（NGN）ネットワークであり、ネットワークエレメントは、固定回線ソフトスイッチ（SoftSwitch）、又はSoftSwitch及びアクセスゲートウェイ（AG）／トランクゲートウェイ（TG）を含む、或いは、通信ネットワークは、IPマルチメディアサブシステム（IMS）ネットワークであり、ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを含む。
【００９３】
本発明で提供される複数の実施例では、開示の装置及び方法は他の方式で実現されてもよいことが分かるべきである。例えば、記載の装置の実施例は、単なる例示である。例えば、ユニットの分割は、単に論理的な機能分割であり、実際の実現では他の分割でもよい。例えば、複数のユニット又はコンポーネントは結合されてもよく、他のシステムに統合されてもよく、いくつかの機能が無視されてもよく実行されなくてもよい。更に、表示又は説明した相互結合若しくは直接結合又は通信接続は、いくつかのインタフェースを通じて実現されてもよい。装置又はユニットの間の間接結合又は通信接続は、電気的、機械的又は他の形式で実現されてもよい。
【００９４】
別々の部分として記載したユニットは、物理的に別々でもよく別々でなくてもよい。ユニットとして表示された部分は、物理的なユニットでもよく物理的なユニットでなくてもよく、１つの位置に存在してもよく、複数のネットワークユニットに分散されてもよい。ユニットの一部又は全部は、実施例の対策の目的を達成するために、実際のニーズに従って選択されてもよい。
【００９５】
更に、本発明の実施例における機能ユニットは、１つの処理ユニットに統合されてもよく、ユニットのそれぞれが物理的に単独で存在してもよく、２つ以上のユニットが１つのユニットに統合されてもよい。統合されたユニットは、ハードウェアの形式で実現されてもよく、ソフトウェアの機能ユニットと組み合わせたハードウェアの形式で実現されてもよい。
【００９６】
前述の統合されたユニットがソフトウェア機能ユニットの形式で実現される場合、統合されたユニットは、コンピュータ読み取り可能記憶媒体に記憶されてもよい。ソフトウェア機能ユニットは、記憶媒体に記憶され、コンピュータデバイス（パーソナルコンピュータ、サーバ又はネットワークデバイス等でもよい）又はプロセッサ（processor）に対して本発明の実施例に記載の方法のステップの一部を実行するように命令する複数の命令を含む。前述の記憶媒体は、USBフラッシュドライブ、取り外し可能ハードディスク、読み取り専用メモリ（Read-Only  Memory、ROM）、ランダムアクセスメモリ（Random  Access  Memory、RAM）、磁気ディスク又は光ディスクのようなプログラムコードを記憶し得るいずれかの媒体を含む。
【００９７】
便宜的且つ簡潔な説明の目的で、前述の機能モジュールの分割が説明の例として使用されており、実際の実現では、前述の機能はニーズに従って異なるモジュールに割り当てられて実現されてもよいことが、当業者により明確に理解できる。すなわち、装置の内部構造は、前述の機能の全部又は一部を実現するために異なる機能モジュールに分割される。前述の装置の詳細な動作処理について、前述の方法の対応する処理に参照が行われてもよく、詳細はここでは再び説明しない。
【００９８】
最後に、前述の実施例は、単に本発明の技術的対策を説明することを意図するものであり、本発明を限定することを意図するものではない点に留意すべきである。本発明について前述の実施例を参照して詳細に説明したが、変更又は置換が対応する技術的対策の本質を本発明の実施例の技術的対策の範囲から逸脱させない限り、当業者は、依然として前述の実施例で説明した技術的対策に変更を行ってもよく、この一部又は全部の技術的特徴に等価置換を行ってもよいことを理解するべきである。
【図１】
2016524359.tif 000003
【図２】
2016524359.tif 000004
【図３】
2016524359.tif 000005
【図４】
2016524359.tif 000006
【図５】
2016524359.tif 000007
【図６】
2016524359.tif 000008
【図７】
2016524359.tif 000009
【図８】
2016524359.tif 000010
【図９】
2016524359.tif 000011
【図１０】
2016524359.tif 000012
【図１１】
2016524359.tif 000013
【図１２】
2016524359.tif 000014
【図１３】
2016524359.tif 000015
【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
通信ネットワークの制御プレーンのシグナリングリンクにおいて、ネットワークエレメントにより送信された呼制御シグナリングを収集するステップであり、前記呼制御シグナリングは、通話チャネル情報を有するステップと、
前記通話チャネル情報に従って前記呼制御シグナリングにおいてセッションアソシエーションを実行するステップと
を有するセッションアソシエーション方法。
【請求項２】
制御プレーンのシグナリングリンクにおいて、ネットワークエレメントにより送信された呼制御シグナリングを収集するステップは、
前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集するステップを有し、
前記通話チャネル情報に従って前記呼制御シグナリングにおいてセッションアソシエーションを実行するステップは、
前記通話チャネル情報に従って前記第１の呼制御シグナリング及び前記第２の呼制御シグナリングにおいてセッションアソシエーションを実行するステップを有する、請求項１に記載の方法。
【請求項３】
前記通信ネットワークは、パケット交換ベアラネットワークであり、前記通話チャネル情報は、ユーザプレーンアドレスであり、
前記通話チャネル情報に従って前記第１の呼制御シグナリング及び前記第２の呼制御シグナリングにおいてセッションアソシエーションを実行するステップは、
前記第１の呼制御シグナリングに含まれる第１のユーザプレーンアドレスと前記第２の呼制御シグナリングに含まれる第２のユーザプレーンアドレスとが同じである場合、前記第１の呼制御シグナリング及び前記第２の呼制御シグナリングにおいてセッションアソシエーションを実行するステップを有する、請求項２に記載の方法。
【請求項４】
前記通信ネットワークは、パケット交換ベアラネットワークであり、前記通話チャネル情報は、ユーザプレーンアドレスであり、
前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集する前に、前記方法は、
ユーザプレーンアドレスの間のアソシエーション関係を取得するステップを更に有し、
前記通話チャネル情報に従って前記第１の呼制御シグナリング及び前記第２の呼制御シグナリングにおいてセッションアソシエーションを実行するステップは、
前記アソシエーション関係に従って前記第１の呼制御シグナリングに含まれる第１のユーザプレーンアドレスと前記第２の呼制御シグナリングに含まれる第２のユーザプレーンアドレスとの間にアソシエーションが存在することが決定された場合、前記第１の呼制御シグナリング及び前記第２の呼制御シグナリングにおいてセッションアソシエーションを実行するステップを有する、請求項２に記載の方法。
【請求項５】
前記通信ネットワークは、回線交換ベアラネットワークであり、前記通話チャネル情報は、回線識別コードであり、
前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集する前に、前記方法は、
回線識別コードの間のアソシエーション関係を取得するステップを更に有し、
前記通話チャネル情報に従って前記第１の呼制御シグナリング及び前記第２の呼制御シグナリングにおいてセッションアソシエーションを実行するステップは、
前記アソシエーション関係に従って前記第１の呼制御シグナリングに含まれる第１の回線識別コードと前記第２の呼制御シグナリングに含まれる第２の回線識別コードとの間にアソシエーションが存在することが決定された場合、前記第１の呼制御シグナリング及び前記第２の呼制御シグナリングにおいてセッションアソシエーションを実行するステップを有する、請求項２に記載の方法。
【請求項６】
前記通信ネットワークは、移動ソフトスイッチネットワークであり、前記ネットワークエレメントは、移動交換センタ（MSC）サーバ、又はMSCサーバ及びメディアゲートウェイ（MGW）を有する、或いは、
前記通信ネットワークは、固定回線ソフトスイッチネットワークであり、前記ネットワークエレメントは、固定ソフトスイッチ、又は前記固定ソフトスイッチ及びアクセスゲートウェイ（AG）／トランクゲートウェイ（TG）を有する、或いは、
前記通信ネットワークは、IPマルチメディアサブシステム（IMS）ネットワークであり、前記ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを有する、請求項１ないし５のうちいずれか１項に記載の方法。
【請求項７】
通信ネットワークの制御プレーンのシグナリングリンクにおいて、ネットワークエレメントにより送信された呼制御シグナリングを収集するように構成された収集モジュールであり、前記呼制御シグナリングは、通話チャネル情報を有する収集モジュールと、
前記通話チャネル情報に従って前記呼制御シグナリングにおいてセッションアソシエーションを実行するように構成されたアソシエーションモジュールと
を有する監視装置。
【請求項８】
前記収集モジュールは、前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集するように具体的に構成され、
前記アソシエーションモジュールは、前記通話チャネル情報に従って前記第１の呼制御シグナリング及び前記第２の呼制御シグナリングにおいてセッションアソシエーションを実行するように具体的に構成される、請求項７に記載の監視装置。
【請求項９】
前記通信ネットワークは、パケット交換ベアラネットワークであり、前記通話チャネル情報は、ユーザプレーンアドレスであり、
前記アソシエーションモジュールは、前記第１の呼制御シグナリングに含まれる第１のユーザプレーンアドレスと前記第２の呼制御シグナリングに含まれる第２のユーザプレーンアドレスとが同じである場合、前記第１の呼制御シグナリング及び前記第２の呼制御シグナリングにおいてセッションアソシエーションを実行するように構成される、請求項８に記載の監視装置。
【請求項１０】
前記通信ネットワークは、パケット交換ベアラネットワークであり、前記通話チャネル情報は、ユーザプレーンアドレスであり、
前記装置は、前記収集モジュールが前記制御プレーンの前記シグナリングリンクにおいて、前記ネットワークエレメントと発信側加入者との間の前記第１の呼制御シグナリングを収集し、前記制御プレーンの前記シグナリングリンクにおいて、前記ネットワークエレメントと着信側加入者との間の前記第２の呼制御シグナリングを収集する前に、ユーザプレーンアドレスの間のアソシエーション関係を取得するように構成された第１の取得モジュールを更に有し、
前記アソシエーションモジュールは、前記アソシエーション関係に従って前記第１の呼制御シグナリングに含まれる第１のユーザプレーンアドレスと前記第２の呼制御シグナリングに含まれる第２のユーザプレーンアドレスとの間にアソシエーションが存在することが決定された場合、前記第１の呼制御シグナリング及び前記第２の呼制御シグナリングにおいてセッションアソシエーションを実行するように構成される、請求項８に記載の監視装置。
【請求項１１】
前記通信ネットワークは、回線交換ベアラネットワークであり、前記通話チャネル情報は、回線識別コードであり、
前記装置は、前記収集モジュールが前記制御プレーンの前記シグナリングリンクにおいて、前記ネットワークエレメントと発信側加入者との間の前記第１の呼制御シグナリングを収集し、前記制御プレーンの前記シグナリングリンクにおいて、前記ネットワークエレメントと着信側加入者との間の前記第２の呼制御シグナリングを収集する前に、回線識別コードの間のアソシエーション関係を取得するように構成された第２の取得モジュールを更に有し、
前記アソシエーションモジュールは、前記アソシエーション関係に従って前記第１の呼制御シグナリングに含まれる第１の回線識別コードと前記第２の呼制御シグナリングに含まれる第２の回線識別コードとの間にアソシエーションが存在することが決定された場合、前記第１の呼制御シグナリング及び前記第２の呼制御シグナリングにおいてセッションアソシエーションを実行するように構成される、請求項８に記載の監視装置。
【請求項１２】
通信ネットワークにおいて監視装置と少なくとも１つのネットワークエレメントとを有する通信ネットワーク監視システムであって、
前記監視装置は、通信ネットワークの制御プレーンのシグナリングリンクにおいて、前記少なくとも１つのネットワークエレメントにより送信された呼制御シグナリングを収集し、前記呼制御シグナリングは、通話チャネル情報を有し、前記通話チャネル情報に従って前記呼制御シグナリングにおいてセッションアソシエーションを実行するように構成される通信ネットワーク監視システム。
【請求項１３】
前記監視装置は、前記制御プレーンの前記シグナリングリンクにおいて、前記ネットワークエレメントと発信側加入者との間の第１の呼制御シグナリングを収集し、前記制御プレーンの前記シグナリングリンクにおいて、前記ネットワークエレメントと着信側加入者との間の第２の呼制御シグナリングを収集し、前記通話チャネル情報に従って前記第１の呼制御シグナリング及び前記第２の呼制御シグナリングにおいてセッションアソシエーションを実行するように具体的に構成される、請求項１２に記載のシステム。
【請求項１４】
前記通信ネットワークは、移動ソフトスイッチネットワークであり、前記ネットワークエレメントは、移動交換センタ（MSC）サーバ、又はMSC  Server及びメディアゲートウェイ（MGW）を有する、或いは、
前記通信ネットワークは、固定回線ソフトスイッチネットワークであり、前記ネットワークエレメントは、固定ソフトスイッチ、又は前記固定ソフトスイッチ及びアクセスゲートウェイ（AG）／トランクゲートウェイ（TG）を有する、或いは、
前記通信ネットワークは、IPマルチメディアサブシステム（IMS）ネットワークであり、前記ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを有する、請求項１２又は１３に記載のシステム。
【請求項１５】
コンピュータに請求項１ないし６のうちいずれか１項に記載の方法を実行させるプログラムを記録したコンピュータ読み取り可能記憶媒体。
【手続補正２】
【補正対象書類名】明細書
【補正対象項目名】００１１
【補正方法】変更
【補正の内容】
【００１１】
第１の態様から第１の態様の第４の可能な実現方式のうちいずれか１つを参照して、第１の態様の第５の可能な実現方式では、通信ネットワークは、移動ソフトスイッチネットワークであり、ネットワークエレメントは、移動交換センタサーバ（MSC  Server）、又はMSC  Server及びメディアゲートウェイ（MGW）を含む、或いは、通信ネットワークは、固定回線ソフトスイッチネットワークであり、ネットワークエレメントは、固定回線ソフトスイッチ（Softswitch）、又はSoftswitch及びアクセスゲートウェイ（AG）／トランクゲートウェイ（TG）を含む、或いは、通信ネットワークは、IPマルチメディアサブシステム（IMS）ネットワークであり、ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを含む。
【手続補正３】
【補正対象書類名】明細書
【補正対象項目名】００１９
【補正方法】変更
【補正の内容】
【００１９】
第３の態様又は第３の態様の第１の可能な実現方式を参照して、第３の態様の第２の可能な実現方式では、通信ネットワークは、移動ソフトスイッチネットワークであり、ネットワークエレメントは、移動交換センタサーバ（MSC  Server）、又はMSC  Server及びメディアゲートウェイ（MGW）を含む、或いは、通信ネットワークは、固定回線ソフトスイッチネットワークであり、ネットワークエレメントは、固定回線ソフトスイッチ（SoftSwitch）、又はSoftSwitch及びアクセスゲートウェイ（AG）／トランクゲートウェイ（TG）を含む、或いは、通信ネットワークは、IPマルチメディアサブシステム（IMS）ネットワークであり、ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを含む。
【手続補正４】
【補正対象書類名】明細書
【補正対象項目名】００２３
【補正方法】変更
【補正の内容】
【００２３】
図１は、本発明によるセッションアソシエーション方法の実施例１のフローチャートである。この実施例で提供されるセッションアソシエーション方法は、エンド・ツー・エンドの呼／セッション情報を取得するため、通信ネットワーク監視システムにより、通信ネットワークのそれぞれの単一のインタフェースの収集されたシグナリング及びメディアデータにおいてマルチプロトコル・マルチインタフェース・アソシエーションを実行するために使用される。これにより、通信ネットワーク監視システムは、全ネットワーク、ユーザ及びサービスの観点から通信ネットワークを評価及び分析する。これにより、エンド・ツー・エンドのネットワーク品質、ユーザセンシング、サービス品質、エンド・ツー・エンドの呼／セッション追跡、並びに遵守及び故障処理を提供する。この実施例で提供されるセッションアソシエーション方法は、制御及びベアラが分離する全ての通信ネットワークの監視に適用可能である点に留意すべきである。通信ネットワークは、移動ソフトスイッチネットワーク、固定ソフトスイッチネットワーク、及びIPマルチメディアサブシステム（IP  Multimedia  Subsystem、以下では略してIMS）ネットワークを含む。この実施例は、監視システムが実行体である例を使用することにより説明を提供する。図１に示すように、この実施例の方法は以下を含んでもよい。
【手続補正５】
【補正対象書類名】明細書
【補正対象項目名】００３２
【補正方法】変更
【補正の内容】
【００３２】
このシナリオのネットワークエレメントは、移動ソフトスイッチネットワークにおけるMSC  Server、固定ソフトスイッチネットワークにおける固定ソフトスイッチ（Softswitch）、並びに、IMSネットワークにおける呼セッション制御機能（Call  Session  Control  Function、略してCSCF）、ブレークアウトゲートウェイ制御機能（Breakout  Gateway  Control  Function、略してBGCF）、相互接続ボーダー制御機能（Interconnection  Border  Control  Function、以下では略してIBCF）、メディアゲートウェイ制御機能（Media  Gateway  Control  Function、以下では略してMGCF）及びアプリケーションサーバ（Application  Server、以下では略してAS）を含んでもよい。
【手続補正６】
【補正対象書類名】明細書
【補正対象項目名】００３４
【補正方法】変更
【補正の内容】
【００３４】
このシナリオのネットワークエレメントは、移動ソフトスイッチネットワークにおけるMSC  Server及びMGW、固定ソフトスイッチネットワークにおけるSoftSwitch及びアクセスゲートウェイ（Access  Gateway、略してAG）／トランクゲートウェイ（Trunk  Gateway、略してTG）、並びに、IMSネットワークにおけるIBCF及びトランジションゲートウェイ（Transition  Gateway、略してTrGW）、MGCF及びIMSメディアゲートウェイ（IP  Multimedia  Subsystem-Media  Gateway、以下では略してIM-MGW）、マルチメディアリソース機能コントローラ（Multimedia  Resource  Function  Controller、略してMRFC）及びマルチメディアリソース機能プロセッサ（Multimedia  Resource  Function  Processor、略してMRFP）、サービスベース・ポリシー決定機能（Service-based  Policy  Decision  Function、略してSPDF）及びボーダーゲートウェイ機能（Border  Gateway  Function、略してBGF）を含んでもよい。
【手続補正７】
【補正対象書類名】明細書
【補正対象項目名】００３６
【補正方法】変更
【補正の内容】
【００３６】
このシナリオのネットワークエレメントは、移動ソフトスイッチネットワークにおけるMSC  Server及びメディアゲートウェイ（Media  Gateway、以下では略してMGW）、固定ソフトスイッチネットワークにおけるSoftswitch及びAG／TG、並びに、IMSネットワークにおけるMGCF及びIM-MGWを含んでもよい。
【手続補正８】
【補正対象書類名】明細書
【補正対象項目名】００７５
【補正方法】変更
【補正の内容】
【００７５】
通信ネットワークは、移動ソフトスイッチネットワークであり、ネットワークエレメントは、移動交換センタサーバ（MSC  Server）、又はMSC  Server及びメディアゲートウェイ（MGW）を含む、或いは、通信ネットワークは、固定回線ソフトスイッチネットワークであり、ネットワークエレメントは、固定回線ソフトスイッチ（SoftSwitch）、又はSoftSwitch及びアクセスゲートウェイ（AG）／トランクゲートウェイ（TG）を含む、或いは、通信ネットワークは、IPマルチメディアサブシステム（IMS）ネットワークであり、ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを含む。
【手続補正９】
【補正対象書類名】明細書
【補正対象項目名】００９２
【補正方法】変更
【補正の内容】
【００９２】
通信ネットワークは、移動ソフトスイッチネットワークであり、ネットワークエレメントは、移動交換センタサーバ（MSC  Server）、又はMSC  Server及びメディアゲートウェイ（MGW）を含む、或いは、通信ネットワークは、固定回線ソフトスイッチネットワークであり、ネットワークエレメントは、固定回線ソフトスイッチ（SoftSwitch）、又はSoftSwitch及びアクセスゲートウェイ（AG）／トランクゲートウェイ（TG）を含む、或いは、通信ネットワークは、IPマルチメディアサブシステム（IMS）ネットワークであり、ネットワークエレメントは、呼／セッション制御機能（CSCF）、ブレークアウトゲートウェイ制御機能（BGCF）、相互接続ボーダー制御機能（IBCF）、メディアゲートウェイ制御機能（MGCF）及びアプリケーションサーバ（AS）；IBCF及びトランジションゲートウェイ（TrGW）、MGCF及びIMSメディアゲートウェイ（IM-MGW）、マルチメディアリソース機能コントローラ（MRFC）及びマルチメディアリソース機能プロセッサ（MRFP）、並びにサービスベース・ポリシー決定機能（SPDF）及びボーダーゲートウェイ機能（BGF）；又はMGCF及びIM-MGWを含む。
【国際調査報告】
2016524359.tif 000016
2016524359.tif 000017
2016524359.tif 000018
2016524359.tif 000019